(57)【要約】【課題】カメラの携帯性及びグリップ性を向上させる。【解決手段】側面４ｄにグリップ部Ｇを有するカメラボディ２と、上面側に設けられるレリーズボタン１１と、側面４ｄに設けられ、ストラップが取り付けられる孔部１２が形成されたスライド部材１０とを備え、スライド部材１０は、電源のオンオフ状態を切り替える操作部材を兼ね、孔部１２が側面４ｄの長手方向の略中央に位置し、電源をオフ状態にする第１の位置と、第１の位置から側面４ｄの長手方向にずれた位置であって電源をオン状態にする第２の位置との間で移動可能である。【選択図】図１
2006235404.tif 000002
【特許請求の範囲】
【請求項１】
筐体と、
前記筐体の上面且つ一方の側面側の略端部に配置されたレリーズボタンと、
前記筐体の一側面に配置されると共に、電源のオンオフを切り換え可能であって電源をオフする第１の位置と電源をオンする第２の位置とにスライド移動可能なスライド部材と、
ストラップを取り付け可能な前記スライド部材に配置されたストラップ取付部と、を備え、
前記スライド部材が前記第１の位置にある場合には、前記ストラップ取付部が前記一側面の高さ方向における略中央に位置する
撮像装置。
【請求項２】
撮像装置を形成する筐体と、
前記筐体の上面且つ一方の側面側の略端部に配置されたレリーズボタンと、
前記筐体の一側面に配置されると共に、電源のオンオフを切り換え可能であって電源をオフする第１の位置と電源をオンする第２の位置とにスライド移動可能なスライド部材と、
ストラップを取り付け可能な前記スライド部材に配置されたストラップ取付部と、を備え、
前記スライド部材が前記第１の位置にある場合には、前記ストラップ取付部が、前記撮像装置の重心を通る線上であって、前記筐体の幅方向と略平行な線上に位置する
撮像装置。
【請求項３】
前記スライド部材は、前記筐体の背面側に設けられた該筐体を保持するための指載置部を備える、
請求項１又は２に記載の撮像装置。
【請求項４】
前記指載置部は、前記レリーズボタンを操作する際に操作者の指を載置することにより前記筐体の保持を補助可能とする
請求項３に記載の撮像装置。
【請求項５】
前記筐体の背面側であって、且つ、前記指載置部に近接して配置した画像表示部を備える
請求項３に記載の撮像装置。
【発明の詳細な説明】
【技術分野】
【０００１】
本発明は、デジタルカメラ等の撮像装置に関する。
【背景技術】
【０００２】
カメラの小型化を図る一方で、カメラのグリップ性を向上させるための種々の技術が開示されている。
特許文献１では、カメラボディの側面位置から背面位置へ回動可能な可動グリップを設けたカメラが開示されている。
特許文献２では、カメラボディの上方へ突出するように移動可能なストロボをグリップ部に設けたカメラが開示されている。
特許文献３では、カメラボディの下方へ突出するように移動可能な棒状のグリップを設けたカメラが開示されている。
特許文献４では、カメラボディの前面側へ突出するように移動可能なグリップ部を設けたカメラが開示されている。なお、グリップ部の移動によりカメラの電源がオンオフされる。
特許文献５では、カメラボディの側面において回動可能なグリップ部を設け、グリップ部の厚みを変化可能としたカメラが開示されている。
【特許文献１】特開平１１−１５０７２号公報
【特許文献２】特開平０７−１８１５６６号公報
【特許文献３】特開平０９−５８７９号公報
【特許文献４】特開平１０−２５４０５１号公報
【特許文献５】特開２００４−３０９７４０号公報
【発明の開示】
【発明が解決しようとする課題】
【０００３】
カメラボディにはストラップを取り付けるための吊り環等のストラップ取付部が設けられる。ストラップ取付部の配置される位置は、カメラの携帯時と撮影時とでは好ましい位置が異なる。例えば、携帯時において、カメラボディの一側面側が上方になるように、ストラップにより吊り下げて保持する場合には、ストラップ取付部は当該一側面の中央にあることが望ましい。一方、撮影時においては、ストラップ取付部がグリップの邪魔にならない位置やグリップに利用できる位置にあることが望ましく、当該位置はカメラボディの側面中央とは限らない。従って、カメラの携帯性及びグリップ性の双方を向上させる位置にストラップ取付部を設けることは困難であった。なお、ストラップ取付部をグリップに利用する技術は上述の先行技術では開示されていない。
【０００４】
本発明の目的は、カメラの携帯性及びグリップ性を向上させることができる撮像装置を提供することにある。
【課題を解決するための手段】
【０００５】
本発明の第１の観点の撮像装置は、筐体と、前記筐体の上面且つ一方の側面側の略端部に配置されたレリーズボタンと、前記筐体の一側面に配置されると共に、電源のオンオフを切り換え可能であって電源をオフする第１の位置と電源をオンする第２の位置とにスライド移動可能なスライド部材と、ストラップを取り付け可能な前記スライド部材に配置されたストラップ取付部と、を備え、前記スライド部材が前記第１の位置にある場合には、前記ストラップ取付部が前記一側面の高さ方向における略中央に位置する。
【０００６】
本発明の第２の観点の撮像装置は、撮像装置を形成する筐体と、前記筐体の上面且つ一方の側面側の略端部に配置されたレリーズボタンと、前記筐体の一側面に配置されると共に、電源のオンオフを切り換え可能であって電源をオフする第１の位置と電源をオンする第２の位置とにスライド移動可能なスライド部材と、ストラップを取り付け可能な前記スライド部材に配置されたストラップ取付部と、を備え、前記スライド部材が前記第１の位置にある場合には、前記ストラップ取付部が、前記撮像装置の重心を通る線上であって、前記筐体の幅方向と略平行な線上に位置する。
【０００７】
好適には、前記スライド部材は、前記筐体の背面側に設けられた該筐体を保持するための指載置部を備える。
【０００８】
好適には、前記指載置部は、前記レリーズボタンを操作する際に操作者の指を載置することにより前記筐体の保持を補助可能とする。
【０００９】
好適には、前記筐体の背面側であって、且つ、前記指載置部に近接して配置した画像表示部を備える。なお、近接とは、撮影者の親指を置くスペースがない（置きにくい）ほど、側面側の近くに配置されていることをいう。
【発明の効果】
【００１０】
本発明によれば、カメラの携帯性及びグリップ性を向上させることができる。
【発明を実施するための最良の形態】
【００１１】
図１（ａ）は、本発明の実施形態のカメラ１の背面側から見た斜視図であり、図１（ｂ）はカメラ１を正面側から見た斜視図であり、図２はカメラ１の平面図である。図２において、図２（ａ）は電源オフ状態を示す図、図２（ｂ）は電源オン状態を示す図である。
【００１２】
図１及び図２に示すように、カメラ１は、例えば比較的小型のデジタルカメラとして構成され、横長薄型の直方体状のカメラボディ２を備えている。カメラボディ２は、撮像ユニット５が設けられる撮像側ボディ３と、表示部６が設けられる表示側ボディ４とを備えている。撮像側ボディ３と、表示側ボディ４とは、撮像ユニット５に含まれる撮像レンズ（不図示）の光軸に直交する方向であって表示部６に平行な方向（図１においてｘ軸方向）の軸周りに相対的に回転可能である。従って、ユーザは表示部６を視認しながら撮像側ボディ３を表示側ボディ４に対して回転させ、適宜な方向の被写体を撮影可能であり、例えば自分自身を撮影することも可能である。
【００１３】
なお、撮像側ボディ３は、撮像レンズの露出する撮影面３ｃから発光するストロボ８、各種操作ボタン等も備えている。表示部６は、例えば液晶表示装置により構成されている。
【００１４】
表示側ボディ４は、表示部６が背面４ｂに設けられ、表示側ボディ４内部側へ押し込み操作可能なレリーズボタン１１が上面４ｃに設けられている。そして、表示側ボディ４のレリーズボタン１１が設けられている側の端部はグリップ部Ｇとして機能する。すなわち、ユーザは、例えば中指、薬指、小指をグリップ部Ｇの前面側（図２の紙面奥手方向側）に、親指をグリップ部Ｇの背面４ｂ側に置いてカメラ１を把持しつつ、人差し指によりレリーズボタン１１を押し込み操作可能である。なお、グリップＧ側の側面４ｄは、カメラ１の側方外側へやや湾曲するように形成されている。
【００１５】
なお、表示側ボディ４の背面４ｂには、比較的広い範囲に亘って表示部６が設けられている（例えば背面４ｂの２／３程度）。また、背面４ｂの上方側にはメニューボタンやズームボタン等の各種のボタンが設けられている。従って、背面４ｂにおいてユーザが親指を置くことができるスペースは、比較的狭い範囲となっている。
【００１６】
カメラ１のグリップ部Ｇ側の側面４ｄには、スライド部材１０が設けられている。スライド部材１０は、ストラップ（不図示）を取り付けるための部材と、カメラ１の電源スイッチを操作する操作部材と、ユーザが親指を置くスペースを拡大する部材とを兼ねるものである。
【００１７】
スライド部材１０には、ストラップを挿通して取り付けるための孔部（ストラップ取付部）１２が設けられている。また、スライド部材１０は、図２（ａ）に示す、孔部１２が側面４ｄの長手方向（図２の紙面上下方向）の略中央に位置する第１の位置と、図２（ｂ）に示す、第１の位置から側面４ｄの長手方向においてレリーズボタン１１側（紙面上方）にずれた第２の位置との間を移動可能に設けられている。なお、第１の位置は、カメラ１の重心ＧＰを通り、カメラ１の筐体幅方向と平行な直線Ｌ１上にも位置している。第２の位置は、例えば表示側ボディ４のグリップ時に親指を当接させ易い位置に設定されている。スライド部材１０が第１の位置に移動することにより電源がオフ状態になり、スライド部材１０が第２の位置に移動することにより電源がオン状態になる。
【００１８】
図３（ａ）は電源オフ状態におけるスライド部材１０をカメラ１の内部側から見た斜視図、図３（ｂ）は電源オン状態におけるスライド部材１０をカメラ１の内部側から見た斜視図、図４（ａ）は、電源オフ状態におけるスライド部材１０をカメラ１の内部側から見た図、図４（ｂ）は電源オン状態におけるスライド部材１０をカメラ１の内部側から見た図、図５は、図３（ａ）のＩＶ−ＩＶ線における断面図である。なお、図５において紙面下方は、表示側ボディ４の背面４ｂ側（図２の紙面手前側）であり、紙面右側は、表示側ボディ４の側面４ｄのカメラ外部側である。
【００１９】
図５に示すように、スライド部材１０は、側面４ｄに対向し、側面４ｄに保持される被保持部１０ａと、側面４ｄに直交又傾斜し、側面４ｄから突出するように設けられる取付部１０ｂとを有し、断面略Ｌ字状に形成されている。取付部１０ｂには孔部１２が設けられている。スライド部材１０は、例えば樹脂や金属により一体成形されている。
【００２０】
図５に示すように、取付部１０ｂは、被保持部１０ａよりも背面側（図５の紙面下方）に設けられ、図１（ａ）、図２及び図３に示すように、取付部１０ｂの背面１０ｃ（指載置部）がグリップ部Ｇの背面４ｂに連続するように設けられている。
【００２１】
取付部１０ｂは、例えばカメラ１の背面側から見て略半円状に形成され、半円の直線状の縁部１０ｄが側面４ｄの長手方向（図３の紙面上下方向）に沿うように配置されている。取付部１０ｂは、例えば半円の直径が側面４ｄの長手方向の長さの１／３程度に設定されている。孔部１２は、側面４ｄの長手方向において、取付部１０ｂの略中央に設けられている。また、孔部１２は、長手方向に直交する方向において、取付部１０ｂの中央よりも側面４ｄから離間する側（半円の円周側）に設けられている。取付部１０ｂの背面１０ｃには、側面４ｄと孔部１２との間に、側面４ｄの長手方向に沿う方向に延びる突条部１０ｅが複数本（例えば２本）設けられている。
【００２２】
図５に示すように、被保持部１０ａにはネジボス１０ｇが設けられ、ネジボス１０ｇは側面４ｄに設けられた溝部１５（図３及び図４も参照）に側面４ｄの外側（図５の紙面右側）から挿通されている。側面４ｄの内側には、溝部１５の幅よりも径の大きい抜け止め部材１７が配置されている。そして、ねじ１６が抜け止め部材１７に挿通されるとともに、ネジボス１０ｇに螺着されることにより、被保持部１０ａは側面４ｄに保持されている。
【００２３】
溝部１５は、側面４ｄの長手方向に沿う方向に延びており、ネジボス１０ｇは溝部１５に案内されて側面４ｄの長手方向に沿って移動する。ネジボス１０ｇが溝部１５の端部（規制部）によって移動を規制される位置は、それぞれスライド部材１０の第１の位置と第２の位置に対応する。なお、溝部１５はガイド部として機能し、ネジボス１０ｇは被ガイド部として機能する。
【００２４】
図３及び図４に示すように、表示側ボディ４の内部側には、スライド部材１０を第１の位置及び第２の位置に位置保持するためのばね２０が設けられている。具体的には、ばね２０は、線材をＶ字状に折り曲げ、当該線材が直線状に復帰しようとする力を付勢力とする圧縮ばねにより構成されている。ばね２０は、一端が軸部２１に回転可能に保持されるとともに、他端が抜け止め部材１７に回転可能に保持されている。
【００２５】
軸部２１は、側面４ｄの長手方向における位置が溝部１５の略中央に設けられ、側面４ｄの内側に突出して設けられている。ばね２０の一端は軸部２１に線材が巻き回されることにより、軸部２１に回転可能に保持されている。
【００２６】
図５に示すように抜き止め部１７の外周には凹部１７ａが設けられ、ばね２０の他端は線材が凹部１７ａに嵌合するように抜き止め部１７に巻き回されることにより、抜き止め部１７に対して回転可能に保持されている。
【００２７】
図３及び図４に示すように、側面４ｄの内側には、電源スイッチとしてのスイッチ２３が設けられている。スイッチ２３は、固定接点２４及び可動接点２５を備えている。固定接点２４及び可動接点２５は、長尺な金属製の板により構成され、互いに平行に配置されるとともに、一端側は表示側ボディ４に対して固定され、他端は自由端となっている。固定接点２４の他端には可動接点２５側に湾曲して可動接点２５に接触する湾曲部２４ａが設けられている。
【００２８】
図４（ａ）に示すように、スライド部材１０が第１の位置にあるときには、抜け止め部材１７により可動接点２５の自由端が固定接点２４から離間する方向へ押される。可動接点２５は弾性変形により曲がり、可動接点２５と固定接点２４とは離間し、スイッチ２３はオフ状態となる。
【００２９】
図４（ｂ）に示すように、スライド部材１０が第２の位置にあるときには、抜け止め部材１７による可動接点２５の押圧が解除される。可動接点２５は弾性により固定接点２４と接触する位置へ復帰し、スイッチ２３はオン状態となる。電源オン状態では、シャッタの駆動等に必要な電力がカメラ１に装着された不図示のバッテリからカメラ１の各種の装置に供給される。なお、バッテリ（電源）は一次電源でも二次電源でもよい。
【００３０】
図６は、カメラ１をカメラケース３０に収納して示す平面図である。なお、カメラ１とカメラケース３０とにより、撮像装置セットが構成される。
【００３１】
カメラケース３０は、カメラ１を収納可能な収納部３０ａを備えている。収納部３０ａは、例えば内部にカメラ１と近似した形状、大きさの収納空間が形成可能に構成されており、カメラ１の直方体形状に対応して直方体状に形成されている。ただし、収納部３０ａの内部に、カメラ１に当接してカメラ１を収納部３０ａに対して固定する樹脂やゴム等からなる部材を設け、収納部３０ａの外観をカメラ１の形状、大きさをカメラ１と全く異なるものにすることも可能である。
【００３２】
収納部３０ａの一端側（図６の紙面上方側）には、カメラ１を収納部３０ａに出し入れするための開口部３０ｂが設けられ、また、開口部３０ｂを塞ぐ蓋部３０ｃが設けられている。開口部３０ｂは例えば直方体状のカメラケースの側面に設けられ、蓋部３０ｃにはスライド部材１０を挿通するための孔部３０ｄが設けられている。
【００３３】
カメラケース３０の開口部３０ｂからカメラ１のスライド部材１０とは反端側の端部から挿入すると、当該反対側の端部が収納部３０ａの開口部３０ｂから見て奥側となる側面３０ｆの内側に当接する。この状態で蓋部３０ｃを閉じると、孔部３０ｄからスライド部材１０が突出する。なお、カメラ１のカメラケース３０に対する挿入方向（図６の紙面上下方向）における移動は側面３０ｆの内側と蓋部３０ｃにより規制され、カメラ１の側面４ｄに沿う方向（図６の紙面左右方向）における移動は側面３０ｈ、３０ｇの内側により規制される。
【００３４】
孔部３０ｄは、スライド部材１０の第１の位置から第２の位置への移動を規制可能に設けられている。換言すれば、孔部３０ｄは、カメラ１を収納したときに、第１の位置のスライド部材１０が挿通可能であり、第２の位置のスライド部材１０が挿通不可能に形成されている。具体的には、孔部３０ｄはカメラ１の側面４ｄに対応するカメラケース３０の側面側に設けられ、当該側面の長手方向の位置（図６の紙面左右方向）は、スライド部材１０の第１の位置に対応する位置（例えば長手方向の略中央）に設定され、長手方向の大きさは、スライド部材１０取付部１０ｂの長手方向の大きさと同程度に設定されている。
【００３５】
なお、蓋部３０ｃ又はカメラケース３０全体は、スライド部材１０の孔部３０ｄによりスライド部材１０の移動を規制可能に、所定の剛性を有する材質により形成されることが望ましい。例えば、樹脂、金属、鞣革により構成されることが望ましい。
【００３６】
以上の実施形態によれば、カメラボディ２と、カメラボディ２の上面且つ一方の側面側の略端部に配置されたレリーズボタン１１と、カメラボディ２の一側面に配置されると共に、電源のオンオフを切り換え可能であって電源をオフする第１の位置と電源をオンする第２の位置とにスライド移動可能なスライド部材１０と、ストラップを取り付け可能なスライド部材１０に配置された孔部１２と、を備え、スライド部材１０が第１の位置にある場合には、孔部１２が側面４ｄの高さ方向における略中央に位置することから、部材の共用と構造の簡素化が図られる。また、電源オフ時に孔部１２が側面４ｄの略中央に位置することで、ストラップを取り付けて首から吊るした場合に筐体が傾かない。
【００３７】
また、当該効果は、スライド部材１０が第１の位置にある場合には、孔部１２が、カメラ１の重心ＧＰを通り、カメラ１の幅方向と略平行な線Ｌ１上に位置する場合にも得られる。
【００３８】
スライド部材１０がカメラボディ２の背面側に指載置部を備えることからカメラ１の保持を補助することができる。
【００３９】
特に、レリーズボタン１１を操作する際に操作者の指を載置することによりカメラ１の保持を好適に補助できる。
【００４０】
表示部６が側面４ｄ近傍に配置されている場合、指を載置できるスペースが必要である。スライド部材１０を設けることで表示部６を側面４ｄ近傍に配置することができる。
【００４１】
図７は、スライド部材の変形例であるスライド部材４０を示す平面図であり、図７（ａ）は電源オフ状態を図７（ｂ）は電源オン状態を示している。
【００４２】
図７（ａ）に示すように、電源オフ状態となる第１の位置では、ストラップを取り付けるための孔部４１は表示側ボディ４′の側面４ｄ′の略中央に位置している。ただし、スライド部材４０の取付部４１ｂは、側面４ｄ′の中央からずれた位置にある。例えば、取付部４１ｂの長手方向における両端部の中央が側面４ｄ′の中央側からレリーズボタン１１側にずれ、又は、取付部４１ｂの平面視における重心が側面４ｄ′の中央側からレリーズボタン１１側にずれている。
【００４３】
図７（ｂ）に示すように、電源オン状態となる第２の位置は、取付部１０ｂのずれの方向（レリーズボタン１１側の方向）へ、第１の位置からずれた位置となっている。なお、孔部４１は、第２の位置から第１の位置への方向へ、取付部４１ｂの中央からずれて設けられている。
【００４４】
このように、第１の位置においてあらかじめ取付部４１ｂをレリーズボタン１１側に設けておくことにより、第１の位置と第２の位置との距離を短くしつつ、第２の位置をグリップに適した位置に設定することができる。
【００４５】
本発明は以上の実施形態に限定されず、種々の態様で実施してよい。
【００４６】
撮像装置はデジタルカメラに限定されず、例えば銀塩カメラであってもよい。カメラボディは、一側面側にグリップ部が設けられるものであればよく、撮像側ボディと表示側ボディとを有し、全体の形状が変化するものや、薄型横長の直方体形状に限定されない。例えば、カメラボディは一つの筐体からなるものでもよい。直方体よりも複雑な形状であってもよいし、曲面や傾斜面を有していてもよい。
【００４７】
なお、カメラボディの側面、グリップ部の背面、上面は、一般には、ユーザがカメラをグリップしたときに、ユーザの左右方向におけるカメラの端面を側面、カメラのユーザ側の面を背面、ユーザの頭上方向の面を上面と定義することができ、カメラの各種装置等のレイアウトから特定することが可能である。例えば、撮影時にユーザが被写体を視認するためのファインダ光学系の接眼レンズが設けられている側の面や、撮影時にユーザが被写体を視認するための液晶表示装置等の画面が設けられている側の面は背面として特定できる。また、例えば、背面に略直交するとともに、互いに略直交する２面があれば、いずれかを一方を上面、他方を側面として特定することができ、さらに、当該２面の一方にレリーズボタンが設けられていれば、当該レリーズボタンが設けられている側の面を上面、レリーズボタンが設けられていない面を側面として特定することができる。
【００４８】
第１の位置は、ストラップを取り付けるための孔部がグリップ部の側面の長手方向の略中央に位置すればよく、ストラップ取付部の被保持部や取付部は側面の長手方向の中央に位置する必要はなく、レリーズボタン側又はその反対側にずれていてもよい。
【００４９】
第２の位置は、第１の位置から側面の長手方向においてずれた位置であればよく、レリーズボタン側と反対側にずれた位置でもよい。なお、好ましくは、人差し指でレリーズボタンを押し込み操作可能にグリップしたときに、親指を置くことが可能な又は親指を置くのに適した位置に設定する。この場合、親指を置くことが可能な位置等は、対象とするユーザの一般的な手の大きさ、カメラボディの大きさ等の諸条件に基づいて特定され、例えば、一般的な大きさのカメラボディであれば、第２の位置は第１の位置よりも上方位置となり、比較的小さなカメラボディであれば、第２の位置は第１の位置よりも下方位置となる。
【００５０】
図８は、カメラ１の第２の位置を変更した変形例を示す平面図であり、図８（ａ）は電源オフ状態を、図８（ｂ）は電源オン状態を示している。図８（ａ）に示すようにカメラ１″の第１の位置はカメラ１と同一位置であるが、第２の位置は第１の位置から下方（レリーズボタンの反対側）にずれた位置に設定されている。
【００５１】
スライド部材はレリーズボタン側（右側面）に限定されない。例えば、スライド部材を筐体の右側面に、レリーズボタンを筐体の左側面に配置してもよい。いずれにせよ、指の置き場が拡張され、筐体の保持を良好にする効果を奏しうる。ただし、可動部材をレリーズボタン側に配置することが望ましい。例えば片手で保持しつつレリーズボタンを操作できるからである。
【００５２】
スライド部材の背面側に設けられる凸部又は凹部は、ユーザの指等の滑りを防止できるものであればよく、突条部に限定されない。溝部が設けられてもよいし、平面形状が矩形や円の凸部や凹部が設けられてもよい。凹部は抜け穴状であってもよい。凸部及び凹部の双方を設けてもよいし、凸部又は凹部が単数設けられてもよいし、複数設けられてもよい。また、取付部にゴム等の弾性部材や滑り止め部材を設け、グリップ性を向上させてもよい。
【００５３】
スライド部材のカメラボディの前面側から背面側への位置は適宜に設定してよい。なお、取付部の背面側とカメラボディの背面側とが、前面側から背面側への方向（前後方向）において同じ位置になることが好ましい。また、他の好ましい態様として、スライド部材を一側面から突出するとともにカメラボディの背面からも突出するように形成してもよい。例えば、取付部１０ｂの背面１０ｃが表示側ボディ４の背面４ｂよりも背面側へ突出するようにしてもよい。この場合、親指を置きやすくなり、カメラボディの保持を好適にできる。
【図面の簡単な説明】
【００５４】
【図１】本発明の実施形態のカメラの外観を示す斜視図である。
【図２】本発明の実施形態のカメラの外観を示す平面図である。
【図３】図１のカメラのスライド部材周辺の構成をカメラ内部側から見た斜視図である。
【図４】図１のカメラのスライド部材周辺の構成をカメラ内部側から見た側面図である。
【図５】図１のカメラのスライド部材周辺の構成を示す断面図である。
【図６】図１のカメラをカメラケースに収納された状態で示す正面図である。
【図７】スライド部材の変形例を示す図である。
【図８】スライド部材の変形例を示す図である。
【符号の説明】
【００５５】
１…撮像装置、２…カメラボディ、１０…スライド部材、１１…レリーズボタン、１２…孔部、Ｇ…グリップ部。
【図１】
2006235404.tif 000003
【図２】
2006235404.tif 000004
【図３】
2006235404.tif 000005
【図４】
2006235404.tif 000006
【図５】
2006235404.tif 000007
【図６】
2006235404.tif 000008
【図７】
2006235404.tif 000009
【図８】
2006235404.tif 000010